(57)【要約】【課題】  電池を交換してから消耗するまでの時間が比較的長く、運転継続時間が比較的長い医療機器を提供すること。【解決手段】  電池１３に接続される電源ライン２１と、電力を供給すべき負荷２２との間に、ＰＮＰトランジスタ２４とＮチャンネル型ＭＯＳＦＥＴ２５を並列に接続する。ＰＮＰトランジスタ２４のベースＢとグランドとの間の操作スイッチ２７が押下され、ＰＮＰトランジスタ２４が導通状態になって、負荷２２への電力供給が開始する。操作スイッチの押下により、ＰＮＰトランジスタ２４のベースＢと操作スイッチ２７との間に接続された操作信号ライン３１を経て、ＣＰＵ１０ｂに操作信号が送られる。操作信号を受けたＣＰＵ１０ｂは、自己保持ライン３２を経てＮチャンネル型ＭＯＳＦＥＴ２５に自己保持信号を送り、Ｎチャンネル型ＭＯＳＦＥＴ２５を導通状態にして、負荷２２への電力供給を継続する。【選択図】図２
2005304587.tif 000002
【特許請求の範囲】
【請求項１】
カニューラ（７）に酸素を供給する流通路に介設された電磁弁（５）と、
患者の呼吸位相を検知する呼吸位相検知手段（９）と、
上記呼吸位相検知手段（９）の出力に基づいて、上記電磁弁（５）を制御する電磁弁制御手段（１０ａ）と、
電池（１３）と上記電磁弁（５）との間に接続され、かつ、互いに並列に接続された接合型トランジスタ（２４）および電界効果トランジスタ（２５）と、
上記接合型トランジスタ（２４）のベース（Ｂ）とグランドとの間に接続されて、操作者によってオン操作される操作スイッチ（２７）と、
上記操作スイッチ（２７）のオン操作を示す操作信号を受け取ると、上記電界効果トランジスタ（２５）のゲート（Ｇ）に、上記電界効果トランジスタ（２５）を導通状態にする自己保持信号を出力する電力供給制御手段（１０ｂ）と
を備えることを特徴とする医療機器。
【請求項２】
請求項１に記載の医療機器において、
上記接合型トランジスタは、ＰＮＰトランジスタ（２４）であり、
上記電界効果トランジスタは、Ｎチャネル型ＭＯＳＦＥＴ（２５）である
ことを特徴とする医療機器。
【請求項３】
請求項１に記載の医療機器において、
上記接合型トランジスタは、ＰＮＰトランジスタ（２４）であり、
上記電界効果トランジスタは、Ｐチャネル型ＭＯＳＦＥＴ（４５）である
ことを特徴とする医療機器。
【発明の詳細な説明】
【技術分野】
【０００１】
本発明は、例えば、肺疾患等の患者に、呼吸に同調して酸素を供給する呼吸同調器等の医療機器に関する。
【背景技術】
【０００２】
従来、この種の医療機器としては、例えば図４に示すような概略構成を有する在宅用の呼吸同調器がある。この呼吸同調器は、酸素ボンベからなる圧力源５１と、この圧力源５１に接続されて図示しない流量調整弁が介設された圧力ライン５２と、この圧力ライン５２にＰポートが接続された３ポート２位置の電磁切換弁５３と、この電磁切換弁５３のＡポートに一端が接続されていると共に、他端が患者の鼻に装着されるカニューラ５４と、上記電磁切換弁５３のＲポートに管路５７を介して接続された圧力センサ５５と、この圧力センサ５５からの検出信号を受けて、上記電磁切換弁５３のソレノイドに励磁信号を出力する制御回路５６とを備える。
【０００３】
この呼吸同調器は、電力源として、一般に市販されて入手容易な乾電池を用いることにより、電池交換のし易さと、呼吸同調器の軽量化を図っている。
【０００４】
上記呼吸同調器は、以下のように動作する。すなわち、上記制御回路５６からの励磁信号で電磁切換弁５３のソレノイドが励磁され、上記切換弁５３の弁体がシンボル位置Ｓ２となり、上記圧力センサ５５がＲポートを経てカニューラ５４に連通する。上記圧力センサ５５は、患者の呼吸サイクルに応じた上記カニューラ５４内の圧力を検出する。上記制御回路５６は、上記圧力センサ５５からの出力に基づいて患者の吸気開始を検知すると、上記電磁制御弁５３への励磁信号の出力を停止して、ソレノイドを消磁し、上記電磁制御弁５３をシンボル位置Ｓ１に切り換え、上記圧力源５１からカニューラ５４に酸素を供給する。上記制御回路５６は、上記電磁制御弁５３がシンボル位置Ｓ１に切り換わってから所定時間が経過すると、上記電磁切換弁５３に励磁信号を出力して切換弁５３をシンボル位置Ｓ２に切り換えて、上記カニューラ５４を圧力センサ５５に連通させる。このような電磁制御弁５３の切り換えを繰り返すことによって、患者の呼吸に同調して間欠的に患者に酸素を供給する。
【０００５】
上記呼吸同調器は、図５に示すような電源スイッチ回路（例えば特許文献１：特公平０６−６６６６９号公報参照）を備える。この電源スイッチ回路において、患者のタッチスイッチ６５の押下によりトランジスタ６４が導通状態となり、このトランジスタ６４を経由して、電池Ｅから、制御回路５６と、上記圧力センサ５５等に相当する負荷６８とに対して電力が供給される。この電力供給の開始に応じて、上記制御回路５６が制御出力ラインＬＣをハイレベルにしてトランジスタ６６を導通させる。これにより、患者がタッチスイッチ６５の押下を解除した後においても、上記トランジスタ６４の導通が継続されて、上記電池Ｅから制御回路５６および負荷６８への電力供給が継続される。これにより、この呼吸同調器の電源がオンに維持される。
【０００６】
上記呼吸同調器の電源をオフにする場合は、患者がタッチスイッチ６５を押下することにより、信号監視ラインＬＭが接地されてローレベルとなり、この信号監視ラインＬＭがローレベルとなったことを検知した上記制御回路５６は、制御出力ラインＬＣをローレベルにする。これにより、上記トランジスタ６６が非導通となり、上記トランジスタ６４が非導通となって、上記制御回路５６および負荷６８への給電が切断される。信号監視ラインＬＭとスイッチ６５との間には、制御回路５６への電流の逆流を防止するダイオード６９を設けている。
【０００７】
しかしながら、上記電源スイッチ回路は、上記制御回路５６および負荷６８に電力を供給する際、バイポーラトランジスタであるトランジスタ６４を経由するので、このトランジスタ６４のオン抵抗により、比較的大きい電力損失が生じる。したがって、上記トランジスタ６４での電力消費量が比較的大きいので、電池を交換してから消耗するまでの時間が比較的短くて、呼吸同調器の運転継続時間が比較的短いという問題がある。
【０００８】
また、上記電源スイッチ回路は、上記制御出力ラインＬＣが、信号監視ラインＬＭと絶縁されている必要があるので、トランジスタ６６を介して、トランジスタ６４を導通させている。しかしながら、導通時に、トランジスタ６６において約０．２Ｖのコレクタ−エミッタ電圧が発生するので、これにより、トランジスタ６４のベース電位が上昇し、この電位の上昇分だけ、上記トランジスタ６６を用いない場合よりも、電池で駆動可動な電圧下限値が上昇することになる。したがって、電池の消耗が比較的少なくて、電池電圧が比較的高いにもかかわらず、呼吸同調器の運転が不可能になる。すなわち、呼吸同調器の運転継続時間が比較的短いという問題がある。
【０００９】
このような問題は、呼吸同調器の携帯性向上等のために、例えば定格電圧が１．５Ｖの小型の電池を１個だけ用いる場合に、顕著となる。
【特許文献１】特公平０６−６６６６９号公報
【発明の開示】
【発明が解決しようとする課題】
【００１０】
そこで、本発明の課題は、電池を交換してから消耗するまでの時間が比較的長く、運転継続時間が比較的長い医療機器を提供することにある。
【課題を解決するための手段】
【００１１】
上記課題を解決するため、本発明の医療機器は、
カニューラに酸素を供給する流通路に介設された電磁弁と、
患者の呼吸位相を検知する呼吸位相検知手段と、
上記呼吸位相検知手段の出力に基づいて、上記電磁弁を制御する電磁弁制御手段と、
電池と上記電磁弁との間に接続され、かつ、互いに並列に接続された接合型トランジスタおよび電界効果トランジスタと、
上記接合型トランジスタのベースとグランドとの間に接続されて、操作者によってオン操作される操作スイッチと、
上記操作スイッチのオン操作を示す操作信号を受け取ると、上記電界効果トランジスタのゲートに、上記電界効果トランジスタを導通状態にする自己保持信号を出力する電力供給制御手段と
を備えることを特徴としている。
【００１２】
上記構成において、患者の呼吸位相が、上記呼吸位相検知手段によって検知される。この呼吸位相検知手段は、例えば、上記患者が装着するカニューラを介して、このカニューラ内の圧力変動を検出する圧力センサが好ましい。上記電磁弁制御手段は、上記呼吸位相検知手段の出力に基づいて、電磁弁を制御する。例えば、上記呼吸位相検知手段が、上記患者の呼吸が呼気から吸気に転じたことを検知すると、上記電磁弁制御手段は、上記電磁弁を制御して、上記カニューラに、上記流通路に接続された例えば酸素源を連通させる。これにより、上記患者に、酸素が適切に供給される。
【００１３】
また、上記操作スイッチがオン操作されることにより、上記接合型トランジスタが導通状態になり、この接合型トランジスタを経て、上記電池から電磁弁への電力供給が開始される。上記接合型トランジスタは、比較的小さなエミッタ−ベース間電圧の印加により導通状態となるので、上記電池の電圧が比較的低くても、上記電磁弁への電力供給を開始することができる。したがって、上記電池の電圧が消耗により多少低下していても、上記電磁弁への電力供給を開始することができる。
【００１４】
また、上記操作スイッチがオン操作され、このオン操作を示す操作信号を検知した電力供給制御手段は、上記自己保持信号を電界効果トランジスタのゲートに送出する。これにより、上記電界効果トランジスタが導通状態となり、この導通状態の電界効果トランジスタを経て、上記電池から電磁弁に電力供給が行われる。そして、上記操作スイッチのオン操作の終了により、上記接合トランジスタが非導通状態になり、上記接合トランジスタを経由する電力供給が終了する。上記電界効果トランジスタは、導通状態での抵抗、つまり、オン抵抗が、上記接合型トランジスタよりも低い。したがって、上記電池からの供給電力の上記電界効果トランジスタにおける損失を低減できて、上記電池の電力の消費量を少なくできる。したがって、上記電池の単位時間当たりの消耗量を低減できる。その結果、１つの電池を従来よりも長い時間使用できるので、この医療機器の使用時間を長くでき、また、電池交換の頻度を少なくできる。
【００１５】
また、この医療機器は、従来における制御出力ラインＬＣと、信号監視ラインＬＭとを絶縁するためのトランジスタ６６が不要になるので、トランジスタ６６の順方向電圧に起因して、電池で駆動可動な電圧下限値が上昇することが無い。したがって、この医療機器は、電池で動作可能な電圧の下限値が低くなるので、１つの電池による駆動時間を従来よりも長くできて、電池交換の頻度を少なくできる。
【００１６】
したがって、本発明によれば、医療機器の軽量化と運転時間の長時間化ができるので、例えば在宅での使用に好適な医療機器が得られる。
【００１７】
なお、上記電磁弁のみに限られず、例えば上記呼吸位相検知手段や、この医療機器に設けられた他の電気駆動の部品に、上記電力供給制御手段による制御の下、上記電池で電力を供給してもよい。
【００１８】
一実施形態の医療機器は、
上記接合型トランジスタは、ＰＮＰトランジスタであり、
上記電界効果トランジスタは、Ｎチャネル型ＭＯＳＦＥＴである。
【００１９】
上記実施形態によれば、上記接合型トランジスタはＰＮＰトランジスタであるので、ローの電圧により、導通状態にできる。したがって、上記電池の電圧が降下した場合においても、上記操作スイッチのオン操作により、この医療機器を確実に起動できる。また、上記電界効果トランジスタはＮチャネル型ＭＯＳＦＥＴ（金属酸化膜半導体電界効果トランジスタ）であるので、ハイの電圧で導通状態になる。
【００２０】
一実施形態の医療機器は、
上記接合型トランジスタは、ＰＮＰトランジスタであり、
上記電界効果トランジスタは、Ｐチャネル型ＭＯＳＦＥＴである。
【００２１】
上記実施形態によれば、上記接合型トランジスタはＰＮＰトランジスタであるので、ローの電圧により、導通状態にできる。したがって、上記電池の電圧が降下した場合においても、上記操作スイッチのオン操作により、この医療機器を確実に起動できる。また、上記電界効果トランジスタはＰチャネル型ＭＯＳＦＥＴであるので、ローの電圧で導通状態になる。
【発明の効果】
【００２２】
以上のように、本発明の医療機器は、起動時には接合型トランジスタを経て電源ラインから負荷に電力を供給するので、電池電圧が降下した場合においても確実に起動でき、しかも、起動後には電界効果トランジスタを経て電池から負荷に電力を供給するので、電源電力の消費量を効果的に削減することができる。その結果、電池の消耗量を低減できて、医療機器の使用時間を長くでき、また、電池交換の頻度を少なくできる。
【発明を実施するための最良の形態】
【００２３】
以下、本発明を図示の実施の形態により詳細に説明する。
【００２４】
図１は、本発明の実施形態の医療機器としての呼吸同調器を示すブロック図である。
【００２５】
この呼吸同調器１は、在宅用の呼吸同調器１であり、酸素ボンベなどの酸素供給源２に一端が接続される流通路に、減圧弁３と、流量調整器４と、３ポート２位置の電磁弁５とを介設している。上記流通路の他端には、患者の鼻に装着されるカニューラ７が接続されるようになっており、上記流通路の電磁弁５とカニューラ７との間に、安全弁としてのリリーフ弁８を接続している。上記電磁弁５には、管路を介して、呼吸位相検知手段としての圧力センサ９を接続している。この圧力センサ９からの検出信号に基づいて、制御・電力供給手段１０の電磁弁制御手段１０ａによって、上記電磁弁５の動作を制御するようになっている。上記制御・電力供給手段１０は、入力手段１１、出力手段１２、電磁弁５および圧力センサ９に電気的に接続されている。上記入力手段１１からの入力、および、図示しないモードスイッチにより設定されたモードに基づいて、この呼吸同調器１の動作を制御する。本実施形態では、上記入力手段１１は電源スイッチであり、上記出力手段１２は、動作状態を示すＬＥＤと、電池残量の減少を警告するブザーである。この呼吸同調器１は、電源として、定格電圧が１．５Ｖの単２型乾電池１３を１個のみ用いる。これにより、呼吸同調器１の軽量化を図って携行を容易にすると共に、電池１３の消耗時に容易に電池交換を行えるようにしている。上記制御・電力供給手段１０を経由して、上記電磁弁５、圧力センサ９および出力手段１２に電力を供給するようにしている。
【００２６】
上記呼吸同調器は、以下のように動作する。すなわち、上記入力手段１１への患者の入力に基づいて呼吸同調器１が起動し、患者の呼吸によるカニューラ７内の圧力変動が、電磁弁５を介して圧力センサ９で検出される。この圧力センサ９からの出力信号に基づいて、上記制御・電力供給手段１０が上記患者の吸気開始を検知すると、上記電磁弁５を切り換えて、上記流通路をカニューラ７に連通する。これにより、上記酸素供給源２からカニューラ７に酸素を供給する。上記制御・電力供給手段１０は、上記流通路をカニューラ７に連通してから所定時間が経過すると、上記電磁弁５を切り換えて、上記カニューラ７を圧力センサ９に連通させる。このような電磁弁５の切り換えを繰り返すことによって、患者の呼吸に同調して間欠的に患者に酸素を供給する。
【００２７】
図２は、本実施形態の呼吸同調器１が備える電源スイッチ回路を示す図である。この電源スイッチ回路は、電源ライン２１から負荷２２への電力供給を始動・継続・停止するものである。上記電源ライン２１は、定格電圧１．５Ｖの電池１３に接続されている。上記負荷２２は、この呼吸同調器１において電力供給が必要である上記電磁弁５，圧力センサ９、出力手段１２および後述するＣＰＵ（中央演算装置）１０ｂを含む。
【００２８】
上記電源ライン２１と負荷２２との間には、接合型トランジスタとしてのＰＮＰトランジスタ２４と、電界効果トランジスタとしてのＮチャンネル型ＭＯＳＦＥＴ２５とを互いに並列に接続している。上記ＰＮＰトランジスタ２４のベースＢとグランドとの間に、患者の操作によってオンされる操作スイッチ２７を設けている。上記ＰＮＰトランジスタ２４のベースＢと操作スイッチ２７との間と、電力供給制御手段としてのＣＰＵ１０ｂとを、操作信号ライン３１で接続している。上記操作スイッチ２７がオン操作されたときに、上記操作信号ライン３１を経て、操作信号をＣＰＵ１０ｂに伝えるようにしている。また、このＣＰＵ１０ｂと、上記Ｎチャンネル型ＭＯＳＦＥＴ２５のゲートＧとを、自己保持ライン３２で接続している。上記ＣＰＵ１０ｂは、上記自己保持ライン３２を経て、上記Ｎチャンネル型ＭＯＳＦＥＴ２５を導通状態にする自己保持信号と、上記Ｎチャンネル型ＭＯＳＦＥＴ２５を非導通状態にする自己保持解除信号とを出力するようになっている。上記自己保持信号は約３．０Ｖのハイレベル信号であり、上記自己保持解除信号は約１．０Ｖ以下のローレベル信号である。
【００２９】
上記ＰＮＰトランジスタのベース−エミッタ間には、ノイズ除去用の抵抗Ｒ１を接続している。上記ＰＮＰトランジスタのベースＢと操作スイッチ２７との間に、上記ＰＮＰトランジスタの電流制御用の抵抗Ｒ２を接続している。上記自己保持ライン３２に、ノイズ除去用抵抗Ｒ３を接続している。上記操作信号ライン３１に、プルアップ用の抵抗Ｒ４を接続している。上記自己保持ライン３２を、ノイズ除去用の抵抗Ｒ５を介してグランドに接続している。Ｃ１は、負荷２２への供給電力の電圧を安定させるためのコンデンサであり、Ｃ２は、上記自己保持ライン３２に伝送される自己保持信号に対するノイズ除去のためのコンデンサである。
【００３０】
上記構成の呼吸同調器１において、電源をオンにして起動する場合、患者が上記操作スイッチを押下する。そうすると、上記電源スイッチ回路において、ＰＮＰトランジスタ２４が導通状態となり、上記電源ライン２１およびＰＮＰトランジスタ２４を経由して、電池１３から負荷２２への電力供給が開始される。また、上記操作スイッチ２７の押下により、上記操作信号ライン３１がローレベルとなることにより、上記ＣＰＵ１０ｂは操作信号を検知する。これに応じて、上記ＣＰＵ１０ｂは、上記自己保持ライン３２に、ハイレベルの自己保持信号を出力し、この自己保持信号がＮチャンネル型ＭＯＳＦＥＴ２５のゲートＧに入力されて、このＮチャンネル型ＭＯＳＦＥＴ２５が導通状態となる。その結果、このＮチャンネル型ＭＯＳＦＥＴ２５を経由して、電池１３から負荷２２への電力供給が開始される。
【００３１】
上記操作スイッチ２７の押下が解除されると、上記ＰＮＰトランジスタ２４のベースの接地が解除されて、上記ＰＮＰトランジスタ２４が非導通状態になる。これにより、上記Ｎチャンネル型ＭＯＳＦＥＴ２５のみを経由して、電池１３から負荷２２への電力供給が継続される。
【００３２】
一方、上記呼吸同調器１の電源をオフする場合は、上記Ｎチャンネル型ＭＯＳＦＥＴ２５を経由して、電池１３から負荷２２に電力供給が行われている状態で、患者が上記操作スイッチ２７を押下する。これにより、上記操作信号ライン３１がローレベルとなり、このローレベルの操作信号を検知した上記ＣＰＵ１０ｂは、上記自己保持ライン３２にローレベルの自己保持解除信号を出力する。この自己保持解除信号がＮチャンネル型ＭＯＳＦＥＴ２５のゲートＧに入力され、このＮチャンネル型ＭＯＳＦＥＴ２５が非導通状態となり、このＮチャンネル型ＭＯＳＦＥＴ２５を経由した電池１３から負荷２２への電力供給が終了する。
【００３３】
このように、本実施形態の呼吸同調器１は、起動時に、比較的低いエミッタ−ベース間電圧の印加により導通状態となるＰＮＰトランジスタ２４を経由して、負荷２２への電力供給を開始する。したがって、上記電池１３の消耗により電源電圧が多少低下しても、上記負荷２２への電力供給を開始して、呼吸同調器１を確実に起動することができる。
【００３４】
また、この呼吸同調器１は、上記ＰＮＰトランジスタ２４を経由して負荷２２への電力供給を開始した後、この負荷２２への電力供給のルートを、オン抵抗が比較的低いＮチャンネル型ＭＯＳＦＥＴ２５に切り換える。したがって、電力損失が比較的少ない上記Ｎチャンネル型ＭＯＳＦＥＴ２５を経由して、呼吸同調器１の動作を継続するので、上記電池１３の電力消費量を効果的に低減することができる。その結果、上記電池１３の単位時間当たりの消耗量を低減できるので、１つの電池を従来よりも長い時間使用できる。すなわち、この呼吸同調器は、１つの電池１３によって運転可能な時間を長くでき、また、電池交換の頻度を少なくできる。
【００３５】
従来の呼吸同調器では、電池の消耗により電源電圧が１．２Ｖを下回ると、起動は困難であった。これに対して、本実施形態の呼吸同調器１は、図２の電源スイッチ回路を採用することにより、電池１３の電圧が０．９Ｖに降下した場合においても正常に起動ができることが、実験において確認できた。
【００３６】
この実験において、電源電圧が１．５Ｖである電池１３の交換時から、この電池１３の消耗に伴って電源電圧が０．９Ｖを下回って、起動不能となるまでの合計運転時間は、約２００時間であった。従来の呼吸同調器では、電池を交換してから起動不可能になるまでの合計運転時間は、約８０時間であった。したがって、本発明によれば、呼吸同調器の運転時間を２倍以上長くすることができると言える。
【００３７】
また、本実施形態の呼吸同調器１の電源スイッチ回路では、上記操作信号ライン３１と自己保持ライン３２は、互いに絶縁されているので、図５の従来の電源スイッチ回路におけるようなトランジスタ６６は不要である。したがって、従来よりも電池で駆動可能な電圧の下限値を低くすることができる。つまり、従来よりも低い電圧値に降下するまで電池を使用することができるので、電池の使用時間を従来よりも長くすることができる。
【００３８】
図３は、他の実施形態の呼吸同調器１が備える電源スイッチ回路を示す図である。
【００３９】
本実施形態の呼吸同調器１は、電源スイッチ回路の電界効果トランジスタがＰチャンネル型ＭＯＳＦＥＴ４５である点が、図２の電源スイッチ回路を有する呼吸同調器１と異なる。本実施形態の電源スイッチ回路において、図２の電源スイッチ回路と同一の部分には同一の参照番号を付して、詳細な説明を省略する。
【００４０】
本実施形態の呼吸同調器１は、図３の電源スイッチ回路に示すように、起動後の電力供給時に導通する電界効果トランジスタが、Ｐチャンネル型ＭＯＳＦＥＴ４５であるので、上記ＣＰＵ４０の自己保持信号はローレベルであり、また、自己保持解除信号はハイレベルである。
【００４１】
本実施形態においても、起動後に、オン抵抗の比較的低いＰチャンネル型ＭＯＳＦＥＴ４５を経由して負荷２２に電力供給を行うので、上記電池１３の電力消費量を効果的に低減することができる。その結果、１つの電池１３によって運転可能な時間を長くでき、また、電池交換の頻度を少なくできる。
【００４２】
上記各実施形態において、電源スイッチ回路の制御のためにＣＰＵ１０ｂを用いたが、このＣＰＵ１０ｂの機能と同じ機能を専用回路で実現してもよい。
【００４３】
また、上記各実施形態において、電源として、定格電圧が１．５Ｖの単２型乾電池を１つ用いたが、用いる電池の数は２つ以上でもよい。また、単２型乾電池に限られず、定格電圧は１．５Ｖでなくてもよい。本発明は、特に、定格電圧が４Ｖ以下の電池を電源として用いる場合に、呼吸同調器の運転時間を効果的に延長することができる。
【００４４】
また、上記各実施形態では、医療機器として呼吸同調器１を構成したが、呼吸同調器以外の例えば酸素濃縮器等のような医療機器であってもよい。
【００４５】
また、上記医療機器の用途は、在宅用に限られない。
【図面の簡単な説明】
【００４６】
【図１】本発明の実施形態の医療機器としての呼吸同調器を示すブロック図である。
【図２】図１の実施形態の呼吸同調器が備える電源スイッチ回路を示す図である。
【図３】他の実施形態の呼吸同調器が備える電源スイッチ回路を示す図である。
【図４】従来の医療機器としての呼吸同調器を示す概略構成図である。
【図５】従来の医療機器が備える電源スイッチ回路を示す図である。
【符号の説明】
【００４７】
１０ｂ  ＣＰＵ
１３  電池
２１  電源ライン
２２  負荷
２４  ＰＮＰトランジスタ
２５  Ｎチャンネル型ＭＯＳＦＥＴ
２７  操作スイッチ
３１  操作信号ライン
３２  自己保持ライン
【図１】
2005304587.tif 000003
【図２】
2005304587.tif 000004
【図３】
2005304587.tif 000005
【図４】
2005304587.tif 000006
【図５】
2005304587.tif 000007